(57)【要約】【課題】  室内の各個所の空気が均一に調和され得るようにする天井型空気調和機を提供する。【解決手段】  室内の複数個所の輻射温度を測定できる輻射温度センサーＳを前記天井型空気調和機の本体１０の底面に設けられたフロントパネル２０の一側または前記天井型空気調和機の吐出口ベーン３０に付着することによって前記輻射温度センサーＳを用いて前記室内複数個所の輻射温度を測定し、これに基づいて前記複数個所の快適度を算出すると同時に、前記算出された快適度に基づいて前記室内の吐出量を調節することによって室内の空気が均一に調和されるようにし、室内温度でない輻射温度から算出された快適度に基づいて吐出量を制御することによって快適性を高めることができるように構成する。【選択図】      図３
0003105119.tif 000002
【実用新案登録請求の範囲】
【請求項１】
熱交換機および送風機が内装され、外部に露出される状態で天井に固定される本体と；
前記本体の底面に結合され、室内空気が吸入および吐出され得るように吸入口および吐出口が形成されたフロントパネルと；
前記フロントパネルの一側面に付着されて少なくとも室内の二個所以上の輻射温度を感知する輻射温度センサーと；
前記室内の室内温度と前記輻射温度センサーから測定された輻射温度との平均値に基づいて前記輻射温度センサーが輻射温度を測定した箇所の快適度を算出し、その快適度の大小を比較して快適度の低い室内空間に吐出風が向かうように前記吐出口のベーン角度を調節するマイクロコンピュータと；を含めてなることを特徴とする天井型空気調和機。
【請求項２】
熱交換機および送風機が内装され、外部に露出される状態で天井に固定される本体と；
前記本体の底面に結合され、室内空気が吸入および吐出され得るように吸入口および吐出口が形成されたフロントパネルと；
前記吐出口のベーンに付着されて前記ベーンの移動とともに左右に移動しながら室内の輻射温度を感知する輻射温度センサーと；
前記室内の室内温度と前記輻射温度センサーから測定された輻射温度との平均値に基づいて前記輻射温度センサーが輻射温度を測定した箇所の快適度を算出し、その快適度の大小を比較して快適度の低い室内空間に吐出風が向かうように前記吐出口のベーン角度を調節するマイクロコンピュータと；を含めてなることを特徴とする天井型空気調和機。
【考案の詳細な説明】
【技術分野】
【０００１】
本考案は、天井型空気調和機に関し、特に、室内の空気を均一に調和させ得るように室内各個所の快適度を算出し、それに基づいて吐出量を調節する天井型空気調和機に関する。
【背景技術】
【０００２】
最近、大規模の食堂や教室などの天井に取り付けられてその食堂や教室の室内の空気を調和させる天井型空気調和機の使用が急増している状況である。
このように天井に取り付けられる天井型空気調和機は、室内の一箇所に設けられて制限された領域の空気を調和させる一般型空気調和機に比べて、天井に設けられているために室内の空気を比較的均一に調和させ得るという長所がある。
【０００３】
すなわち、図６に示すように、室内の天井に取り付けられた天井型空気調和機１のベーンａ、ｂの角度が調節されることによって前記空気調和機の吐出風が室内に均一に伝達されるため、壁などに取り付けられる一般型空気調和機に比べて室内の温度を均一に保持できる効果がある。
しかし、図６に示すように、前記天井型空気調和機１の取り付けられた室内に窓２があると、この窓２に隣接した室内空間は、その反対側の廊下３に隣接した室内空間に比べてその温度変化が激しくなるため、室内の空気が全体的に均一に保持され難い問題点があった。
【０００４】
要するに、既存の天井型空気調和機１は、室内の温度を測定し、それに基づいて風向と風速などを調節するが、この場合、室内の各個所の温度を測定するのではなく前記天井型空気調和機の設けられた個所の室内温度を測定し、この測定された室内温度に基づいて風向と風速を予め設定された制御方法にしたがって制御してきたため、室内の各個所の温度差が激しくなってもこれを補償できないという問題があった。
【考案の開示】
【考案が解決しようとする課題】
【０００５】
本考案は、前記従来技術の問題点を解決するために案出されたものであって、その目的は、室内の空気調和を目的として天井に取り付けられた空気調和機に輻射温度センサーを付着することによって、室内各個所の輻射温度を測定すると同時に快適度を算出し、これに基づいて室内の各個所の空気が均一に調和され得るようにする空気調和機を提供することにある。
【課題を解決するための手段】
【０００６】
前記課題を解決するために、本考案による天井型空気調和機は、熱交換機および送風機が内装され、外部に露出される状態で天井に固定される本体と、前記本体の底面に結合され、室内空気が吸入および吐出され得るように吸入口および吐出口が形成されたフロントパネルと、前記フロントパネルの一側面に付着されて室内の輻射温度を感知する輻射温度センサーと、前記輻射温度センサーから感知された室内の輻射温度に基づいて室内の快適度を算出し、それに基づいて前記吐出口のベーン角度を調節するマイクロコンピュータと、を含めてなることを特徴とする。
【考案の効果】
【０００７】
以上のように構成される本考案の天井型空気調和機によれば、室内の複数個所の輻射温度を測定できる輻射温度センサーを前記天井型空気調和機の本体の底面に設けられたフロントパネルの一側または前記天井型空気調和機の吐出口ベーンに付着することによって前記輻射温度センサーを用いて前記室内の複数個所の輻射温度を測定し、それに基づいて前記複数個所の快適度を算出すると同時に前記算出された快適度に基づいて前記室内の吐出量を調節することによって室内の空気が均一に調和されるようにし、室内温度でない輻射温度から算出された快適度に基づいて吐出量を制御することによって快適性を高めることができる。
【考案を実施するための最良の形態】
【０００８】
以下、本考案の好ましい実施形態を添付図面に基づいて詳細に説明する。
図１は、天井型空気調和機の室内機の要部構成を示す断面図であって、天井型空気調和機は、大きく、天井１内に収納設置され、室内熱交換機１５と室内ファン１６およびモータ１６ａが内装され、底面が開口された本体１０と、前記本体１０の底面に結合されて室内側に露出され、中央に室内空気を吸入できるように吸入グリル２２が設けられ、前記吸入グリル２２周りの四方に熱交換された空気を吐出せるように吐出口２４が形成されたフロントパネル２０と、を含めて構成される。
【０００９】
前記室内熱交換機１５は、前記室内ファン１６およびモータ１６ａ周りの四方を取り囲む四角形状に配設され、前記室内ファン１６と吸入グリル２２との間には前記室内ファン１６の回転によって室内側から本体１０内に吸入された空気を案内するベルマウス１８が配設され、前記室内熱交換機１５の下側には室内熱交換機１５の冷媒と空気の熱交換過程中に室内熱交換機１５の表面に発生した凝縮水を受けるドレンパン１９が配設される。
前記フロントパネル２０の吐出口２４には、前記室内熱交換機１５を通りながら熱交換され、室内側に向かって吐出される冷気または温気の上下風向を調節する複数個の風向調節ベーン３０が回転自在に配設される。
【００１０】
図２は、本考案によって輻射温度センサーがパネルに付着された状態を示す平面図である。
前記フロントパネル２０の上面には、図２に示すように、前記風向調節ベーン３０を回転させるためのベーン用モータ４０が装着され、前記風向調節ベーン３０同士の間には前記風向調節ベーン３０を同時に駆動するための回転棒４４が配設される。
前記風向調節ベーン３０は、長方形状の平板からなり、前記吐出口２４から吐出される熱交換された空気の上下風向を案内する上下調節部３１と、前記上下風向調節部３１の両側端に突設されて前記ベーン用モータ４０から駆動力が伝達される支え台３２と、から構成される。
【００１１】
特に、本考案による天井型空気調和機は、図２に示すように、前記フロントパネル２０の一側面に付着されて前記天井型空気調和機本体１０の設けられた室内の少なくとも二箇所以上の輻射温度を測定する輻射温度センサーＳを含めてなる。また、前記天井型空気調和機１０のマイクロコンピュータは、前記輻射温度センサーＳから測定された室内各個所の輻射温度に基づいて前記室内の空気が均一に調和されるようにする。
【００１２】
ここで、前記輻射温度センサーＳは、前記天井型空気調和機の設けられた室内に形成された窓側と廊下側の壁の輻射温度を測定できるように最小限１２０°以上の感知範囲を有する輻射温度センサーから構成される。
また、図３に示すように、本考案による輻射温度センサーＳは、前記空気調和機の複数個の風向調節ベーン３０のうちいずれか一つのベーンに付着することも可能であるが、この場合、前記のように１２０°以上の感知範囲を有する輻射温度センサーでなくても室内複数個所の輻射温度を測定することができる。
【００１３】
すなわち、前記輻射温度センサーＳの付着されたベーンが左右に駆動されるに伴って前記ベーンに装着された輻射温度センサーＳも左右に動くため、前記室内の複数個所の輻射温度を測定することができる。したがって、前記風向調節ベーンの駆動にしたがって前記輻射温度センサーＳは前記室内の窓側と前記廊下側の壁の輻射温度を測定できるようになる。
前記天井型空気調和機に装着された輻射温度センサーＳから室内複数個所の輻射温度が測定されると、これに基づいて前記天井型空気調和機のマイクロコンピュータは室内各個所の快適度を算出する。
【００１４】
図４は、本考案による天井型空気調和機の各構成を示すブロック図である。
図４に示すように、前記天井型空気調和機は、前記天井型空気調和機の設けられた空間の室内温度を測定できる室内温度センサー１５と、前記図２または図３のように室内各個所の輻射温度を測定する輻射温度センサーＳと、前記室内温度センサー１５および前記輻射温度センサーＳによって測定された室内温度と輻射温度に基づいて室内各個所の快適度を算出し、この算出結果にしたがってベーンの駆動を制御するモータ４０を制御するマイクロコンピュータ１６と、を含めて構成される。
【００１５】
ここで、前記マイクロコンピュータ１６は、前記輻射温度センサーＳから測定された室内各個所の輻射温度と前記室内温度センサー１５から測定された室内の室内温度を平均し、各個所の快適度を算出する。すなわち、前記室内のうち窓側の快適度は窓側の輻射温度と室内温度との平均値である。また、廊下側の壁の快適度は、壁の輻射温度と室内温度との平均値である。
前記マイクロコンピュータ１６は、前記窓側の快適度と前記廊下側の壁の快適度を比較し、それに基づいて前記複数個の風向調節ベーン３０を駆動させるモータ４０を制御することによって前記複数個の風向調節ベーン３０の角度が調節されるようにする。
【００１６】
すなわち、前記マイクロコンピュータ１６は、前記窓側の快適度が前記廊下側の壁の快適度より低い場合、前記窓側に向いて吐出される風量が増加するように前記モータ４０を制御し、前記窓側の風向調節ベーンの角度を調節する。また、前記廊下側の壁の快適度が前記窓側の快適度より低い場合、前記廊下側の壁に向いて吐出される風量が増加するように前記モータ４０を制御し、前記廊下側の壁側の風向調節ベーンの角度を調節する。
以上のように構成された本考案の天井型空気調和機の動作を図５に基づいて説明すれば次のようである。
【００１７】
まず、第１段階(Ｓ１)で、前記天井型空気調和機が作動するに伴って前記輻射温度センサーは室内の複数個所の輻射温度を測定する。
第２段階(Ｓ２)で、前記天井型空気調和機のマイクロコンピュータは、前記測定された輻射温度に基づいて前記室内窓側と壁側の快適度を算出する。ここで、前記マイクロコンピュータは、前記室内窓側の輻射温度と室内温度との平均値を前記室内窓側の快適度として算出し、また、壁側の輻射温度と室内温度との平均値を前記壁側の快適度として算出する。
【００１８】
第３段階(Ｓ３)で、前記マイクロコンピュータは、前記算出された快適度が同一か比較する。
仮に、前記第３段階で前記算出された快適度が同一であると、本考案による空気調和機制御方法は前記第１段階に復帰する。
一方、前記第３段階で前記算出された快適度が同一でない場合は、第４段階(Ｓ４)で、前記マイクロコンピュータは、前記窓側の快適度が前記壁側の快適度より高い値を有するか比較する。
【００１９】
前記第４段階で前記窓側の快適度が前記壁側の快適度より低い値を有すると、第５段階(Ｓ５)で、前記マイクロコンピュータは、前記窓側に向いたベーンの角度を調節することによって前記窓側に向いて吐出される風量を増加させる。
一方、前記第４段階で前記窓側の快適度が前記壁側の快適度より高い値を有する場合は、第６段階(Ｓ６)で、前記マイクロコンピュータは前記壁側に向いたベーンの角度を調節することによって前記壁側に向いて吐出される風量を増加させる。
【図面の簡単な説明】
【００２０】
【図１】本考案による天井型空気調和機の要部構成を示す断面図である。
【図２】本考案による輻射温度センサーがパネルに付着された第１状態を示す図である。
【図３】本考案による輻射温度センサーが風向調節ベーンに付着された第２状態を示す図である。
【図４】本考案による天井型空気調和機の構成を示すブロック図である。
【図５】本考案による天井型空気調和機の制御方法の流れを示す順序図である。
【図６】従来の天井型空気調和機が天井に取り付けられた例を示す図である。
【符号の説明】
【００２１】
１０…天井型空気調和機の本体
１５…室内温度センサー
１６…マイクロコンピュータ
３０…風向調節ベーン
４０…ベーン用モータ
Ｓ…輻射温度センサー
【図１】
0003105119.tif 000003
【図２】
0003105119.tif 000004
【図３】
0003105119.tif 000005
【図４】
0003105119.tif 000006
【図５】
0003105119.tif 000007
【図６】
0003105119.tif 000008